(57)【要約】【課題】外筒に対して中栓を取り付ける構造を簡素化すると共に、これら外筒及び中栓の清掃性を高めることを可能としたキャップユニットを提供する。【解決手段】上部が開口した容器本体２の口頸部２ｃに着脱自在に取り付けられることによって、容器本体２の上部開口部２ｄを閉塞するキャップユニット１であって、容器本体２の口頸部２ｃを覆う外筒８と、容器本体２の上部開口部２ｄから容器本体２の内側に嵌め込まれる中栓９とを備え、中栓９は、外筒８の上部を閉塞する閉塞位置と、外筒８の上部を開放する開放位置との間で回動されるように、外筒８にヒンジ部１６を介して取り付けられている。【選択図】図１
2019112101.tif 000002
【特許請求の範囲】
【請求項１】
上部が開口した容器本体の口頸部に着脱自在に取り付けられることによって、前記容器本体の上部開口部を閉塞するキャップユニットであって、
前記容器本体の口頸部を覆う外筒と、
前記容器本体の上部開口部から前記容器本体の内側に嵌め込まれる中栓とを備え、
前記中栓は、前記外筒の上部を閉塞する閉塞位置と、前記外筒の上部を開放する開放位置との間で回動されるように、前記外筒にヒンジ部を介して取り付けられていることを特徴とするキャップユニット。
【請求項２】
前記閉塞位置にて前記中栓を前記外筒に対して固定する固定機構を備えることを特徴とする請求項１に記載のキャップユニット。
【請求項３】
前記固定機構は、前記中栓の上面と向かい合う側に位置して、前記ヒンジ部を介して回動自在に取り付けられたロック部材を有し、
前記中栓が前記外筒の上部を閉塞した状態で、前記ロック部材の先端側に設けられた係止部を前記外筒の側面側に設けられた被係止部に係止することによって、前記中栓を前記外筒に対して固定することを特徴とする請求項２に記載のキャップユニット。
【請求項４】
前記外筒の側面には、前記ロック部材の先端側が係合される係合凹部が設けられていることを特徴とする請求項３に記載のキャップユニット。
【請求項５】
前記ロック部材は、前記中栓の上面と向かい合う側に収容凹部を有することを特徴とする請求項３又は４に記載のキャップユニット。
【請求項６】
前記中栓は、その内側に収容空間と、その上面に着脱自在に取り付けられた蓋部とを有することを特徴とする請求項１〜５の何れか一項に記載のキャップユニット。
【請求項７】
請求項１〜６の何れか一項に記載のキャップユニットと、
前記キャップユニットが取り付けられた容器本体とを備えるキャップ付き容器。
【請求項８】
前記容器本体の前記外筒が覆う位置よりも下方側の外周部に取り付けられたリング部材を備え、
前記ロック部材の先端側の外周面が、前記リング部材の外周面と面一となるように形成していることを特徴とする請求項７に記載のキャップ付き容器。
【請求項９】
前記容器本体は、真空断熱構造を有することを特徴とする請求項７又は８に記載のキャップ付き容器。
【発明の詳細な説明】
【技術分野】
【０００１】
本発明は、キャップユニット及びキャップ付き容器に関する。
【背景技術】
【０００２】
従来より、上部が開口した容器本体の口頸部に着脱自在に取り付けることによって、容器本体の上部開口部を閉塞するキャップユニット（栓体）を備えたキャップ付き容器がある（例えば、下記特許文献１，２を参照。）。
【０００３】
このようなキャップユニットは、容器本体の口頸部を覆う外筒と、上部開口部から容器本体の内側に嵌め込まれる中栓とを有して、容器本体に対して外筒又は中栓が螺合により取り付けられる構造となっている。
【先行技術文献】
【特許文献】
【０００４】
【特許文献１】特開２０１４−１６２５４４号公報
【特許文献２】特開２０１３−１５０６４４号公報
【発明の概要】
【発明が解決しようとする課題】
【０００５】
ところで、上述したキャップ付き容器では、キャップユニットを洗浄する際に、外筒と中栓との間が非常に洗いづらくなっている。このため、キャップユニットでは、外筒と中栓とに分割可能な構造を採用して、清掃性を高めることが行われている。
【０００６】
しかしながら、従来のキャップユニットでは、外筒と中栓とに分割可能な構造とした場合、外筒に対して中栓を取り付けるための構造（脱着機構）が複雑となってしまうといった問題があった。
【０００７】
また、外筒と中栓とに分割可能な構造とした場合、これら外筒と中栓とをそれぞれ別々に洗浄し、乾燥の後に再び組み立てる必要がある。しかしながら、従来のキャップユニットでは、乾燥中に外筒と中栓とが他の食器の中に混ざってしまい、その中から外筒と中栓とを別々に取り出すことが面倒となることがあった。
【０００８】
本発明は、このような従来の事情に鑑みて提案されたものであり、外筒に対して中栓を取り付ける構造を簡素化すると共に、これら外筒及び中栓の清掃性を高めることを可能としたキャップユニット、並びにそのようなキャップユニットを備えることによって、更なる使い勝手の向上を可能としたキャップ付き容器を提供することを目的とする。
【課題を解決するための手段】
【０００９】
上記目的を達成するために、本発明は以下の手段を提供する。
〔１〕  上部が開口した容器本体の口頸部に着脱自在に取り付けられることによって、前記容器本体の上部開口部を閉塞するキャップユニットであって、
前記容器本体の口頸部を覆う外筒と、
前記容器本体の上部開口部から前記容器本体の内側に嵌め込まれる中栓とを備え、
前記中栓は、前記外筒の上部を閉塞する閉塞位置と、前記外筒の上部を開放する開放位置との間で回動されるように、前記外筒にヒンジ部を介して取り付けられていることを特徴とするキャップユニット。
〔２〕  前記閉塞位置にて前記中栓を前記外筒に対して固定する固定機構を備えることを特徴とする前記〔１〕に記載のキャップユニット。
〔３〕  前記固定機構は、前記中栓の上面と向かい合う側に位置して、前記ヒンジ部を介して回動自在に取り付けられたロック部材を有し、
前記中栓が前記外筒の上部を閉塞した状態で、前記ロック部材の先端側に設けられた係止部を前記外筒の側面側に設けられた被係止部に係止することによって、前記中栓を前記外筒に対して固定することを特徴とする前記〔２〕に記載のキャップユニット。
〔４〕  前記外筒の側面には、前記ロック部材の先端側が係合される係合凹部が設けられていることを特徴とする前記〔３〕に記載のキャップユニット。
〔５〕  前記ロック部材は、前記中栓の上面と向かい合う側に収容凹部を有することを特徴とする前記〔３〕又は〔４〕に記載のキャップユニット。
〔６〕  前記中栓は、その内側に収容空間と、その上面に着脱自在に取り付けられた蓋部とを有することを特徴とする前記〔１〕〜〔５〕の何れか一項に記載のキャップユニット。
〔７〕  前記〔１〕〜〔６〕の何れか一項に記載のキャップユニットと、
前記キャップユニットが取り付けられた容器本体とを備えるキャップ付き容器。
〔８〕  前記容器本体の前記外筒が覆う位置よりも下方側の外周部に取り付けられたリング部材を備え、
前記ロック部材の先端側の外周面が、前記リング部材の外周面と面一となるように形成していることを特徴とする前記〔７〕に記載のキャップ付き容器。
〔９〕  前記容器本体は、真空断熱構造を有することを特徴とする前記〔７〕又は〔８〕に記載のキャップ付き容器。
【発明の効果】
【００１０】
以上のように、本発明によれば、外筒に対して中栓を取り付ける構造を簡素化すると共に、これら外筒及び中栓の清掃性を高めることを可能としたキャップユニット、並びにそのようなキャップユニットを備えることによって、更なる使い勝手の向上を可能としたキャップ付き容器を提供することが可能である。
【図面の簡単な説明】
【００１１】
【図１】本発明の一実施形態に係るキャップユニットを備えたキャップ付き容器の断面図である。
【図２】図１に示すキャップユニットの外筒に対して中栓を開放させた状態を一方側から見た斜視図である。
【図３】図１に示すキャップユニットの外筒に対して中栓を開放させた状態を他方側から見た斜視図である。
【発明を実施するための形態】
【００１２】
以下、本発明の実施形態について、図面を参照して詳細に説明する。
本発明の一実施形態として、例えば図１〜図３に示すキャップユニット１を備えたキャップ付き容器１００について説明する。
【００１３】
なお、図１は、キャップユニット１を備えたキャップ付き容器１００の断面図である。図２は、キャップユニット１の外筒８に対して中栓９を開放させた状態を一方側から見た斜視図である。図３は、キャップユニットの外筒８に対して中栓９を開放させた状態を他方側から見た斜視図である。
【００１４】
本実施形態のキャップ付き容器１００は、本実施形態のキャップユニット１と、このキャップユニット１が着脱自在に取り付けられる容器本体２とを備えている。キャップ付き容器１００は、真空断熱構造を有する容器本体２によって、この容器本体２に収容された飲料（内容物）を保温又は保冷することが可能な飲料用容器である。
【００１５】
具体的に、この容器本体２は、例えばステンレス等からなる有底筒状の外容器３及び内容器４を有し、外容器３の内側に内容器４を収容した状態で互いの口元部を接合した二重構造の容器により構成されている。また、外容器３と内容器４との間には、真空断熱層５が設けられている。真空断熱層５は、例えば、高真空に減圧（真空引き）されたチャンバー内で、外容器３の底面中央部に設けられた脱気孔を塞ぐことによって形成することができる。
【００１６】
容器本体２は、略円形状の底面部２ａと、底面部２ａの外周から略円筒状に起立した胴部２ｂと、胴部２ｂの上部側において縮径された略円筒状の口頸部２ｃとを有している。
また、口頸部２ｃの上端部は、容器本体２の上部開口部２ｄとして、円形状に開口している。
【００１７】
口頸部２ｃの内周面は、胴部２ｂの内周面よりも縮径されている。また、口頸部２ｃの内周面には、雌ネジ部６が設けられている。雌ネジ部６は、口頸部２ｃの上端側から下方に向けて螺旋状に突出したネジ山から構成されている。さらに、雌ネジ部６の下方には、リング状の張出部７が容器本体２の内周面から全周に亘って突出して設けられている。
【００１８】
なお、本実施形態のキャップ付き容器１００は、全体として略円筒状の外観形状を有しているが、キャップ付き容器１００の外観形状については、特に限定されるものではなく、サイズやデザイン等に合わせて、適宜変更を加えることが可能である。また、容器本体２の外周面には、塗装や印刷等が施されていてもよい。
【００１９】
本実施形態のキャップユニット１は、容器本体２の上部開口部２ｄを閉塞する栓体を構成するものである。具体的に、このキャップユニット１は、容器本体２の口頸部２ｃを覆う外筒８と、容器本体２の上部開口部２ｄから容器本体２の内側に嵌め込まれる中栓９と、容器本体２の外筒８が覆う位置よりも下方側の外周部に取り付けられたリング部材１０とを備えている。
【００２０】
外筒８は、例えばポリプロピレン（ＰＰ）やポリメチルペンテン（ＰＭＰ）等の合成樹脂からなり、リング部材１０の外周面と面一となるように、全体として略円筒状に形成されている。
【００２１】
リング部材１０は、例えばポリプロピレン（ＰＰ）やポリメチルペンテン（ＰＭＰ）等の合成樹脂からなり、全体として略円筒状に形成されている。リング部材１０は、容器本体２の胴部２ｂと口頸部２ｃとの間の段差部２ｅに嵌め付けられている。
【００２２】
中栓９は、例えばポリプロピレン（ＰＰ）やポリメチルペンテン（ＰＭＰ）等の耐熱性樹脂からなる。中栓９は、その底面及び周面を形成する有底略円筒状の栓部１１と、その上面を形成する略円形状の蓋部１２とを有している。
【００２３】
蓋部１２は、栓部１１の上部に嵌め込まれることによって、栓部１１に対して着脱自在に取り付けられている。また、蓋部１２の上面には、この蓋部１２を栓部１１に対して取り外し易くするための指掛け部１３が設けられている。これにより、中栓９の内側は、収容空間Ｋとして利用することが可能となっている。
【００２４】
なお、中栓９については、上述した栓部１１に対して蓋部１２が着脱自在に取り付けられた構成に限らず、栓部１１に対して蓋部１２が超音波溶着や高周波溶着等により一体に取り付けられた構成としてもよい。この場合、中栓９は、その内側に断熱層となる空気（密閉空間）を配置した構成となる。なお、中栓９の内側には、断熱層となる空気に限らず、断熱材を配置した構成としてもよい。
【００２５】
栓部１１は、中栓９が外筒８の上部を閉塞した状態において、外筒８の内側に同心円状に配置される。栓部１１（中栓９）の外周面には、雄ネジ部１４が設けられている。雄ネジ部１４は、栓部１１の下端側から上方に向けて螺旋状に突出したネジ山から構成されている。これにより、キャップユニット１は、雌ネジ部６と雄ネジ部１４とを構成するネジ山同士の螺合によって、容器本体２に対して着脱自在に取り付けられている。
【００２６】
なお、キャップユニット１は、上述した容器本体２側に設けられた雌ネジ部６と、中栓９側に設けられた雄ネジ部１４との螺合によって、容器本体２に着脱自在に取り付けられる構成となっているが、口頸部２ｃの外周面に設けられた雄ネジ部と、外筒８の内周面に設けられた雌ネジ部との螺合によって、容器本体２に対して着脱自在に取り付けられる構成としてもよい。
【００２７】
栓部１１（中栓９）の下端部には、止水パッキン１５が着脱自在に取り付けられている。止水パッキン１５は、リング状のシール部材であり、例えばシリコーンゴム等の耐熱性を有するゴムやエラストマーなどの弾性部材からなる。一方、栓部１１（中栓９）の下端部には、フランジ部９ａが拡径方向に突出して設けられている。止水パッキン１５は、このフランジ部９ａに全周に亘って嵌め付けられている。
【００２８】
止水パッキン１５は、容器本体２の口頸部２ｃに中栓９が取り付けられた際に、弾性変形しながら、容器本体２の張出部７に全周に亘って密着した状態となる。これにより、張出部７（容器本体２）と中栓９との間を密閉することが可能となっている。なお、止水パッキン１５の張出部７に密着させるための形状等については、特に限定されるものではなく、その形状等について適宜変更を加えることが可能である。
【００２９】
一方、止水パッキン１５は、それ自体を弾性変形させる（引っ張り伸ばす）ことによって、フランジ部９ａから取り外すことが可能である。これにより、止水パッキン１５と中栓９とをそれぞれ別々に洗浄することができ、止水パッキン１５とフランジ部９ａとの間を衛生的に保つことができる。
【００３０】
ところで、本実施形態のキャップユニット１では、外筒８に中栓９がヒンジ部１６を介して回動自在に取り付けられている。なお、以下の説明では、キャップユニット１のヒンジ部１６が設けられた側を「後側」とし、それとは反対側を「前側」として説明する。
【００３１】
ヒンジ部１６は、外筒８の後端側の上部に一体に設けられて、中栓９の後端側を回動自在に支持している。これにより、中栓９は、外筒８の上部を閉塞する閉塞位置と、外筒８の上部を開放する開放位置との間で回動自在となっている。
【００３２】
また、本実施形態のキャップユニット１は、閉塞位置にて中栓９を外筒８に対して固定する固定機構１７を備えている。具体的に、この固定機構１７は、中栓９の上面と向かい合う側に位置して、ヒンジ部１６を介して回動自在に取り付けられたロック部材１８を有している。すなわち、このロック部材１８は、中栓９と共に、その基端（後端）側がヒンジ部１６により回動自在に支持されている。
【００３３】
ロック部材１８は、例えばポリプロピレン（ＰＰ）やポリメチルペンテン（ＰＭＰ）、アクリロニトリル・ブタジエン・スチレン（ＡＢＳ）、ポリアセタール（ＰＯＭ）等の熱可塑性樹脂からなる。ロック部材１８は、中栓９の上面に沿って前後方向に延長された上壁部１８ａと、上壁部１８ａの前端（先端）から外筒８の側面に沿って略直角に折り曲げられた側壁部１８ｂとを有している。また、ロック部材１８は、上壁部１８ａの中栓９の上面と向かい合う側を凹ますことによって、その内側を収容凹部１８ｃとして利用することが可能となっている。
【００３４】
固定機構１７は、ロック部材１８の先端側に設けられた係止部１９と、外筒８の側面側に設けられた被係止部２０とを有している。このうち、係止部１９は、側壁部１８ｂの先端側の外筒８の側面と対向する面から突出された爪部１９ａからなる。一方、外筒８の前面側の側面には、側壁部１８ｂが係合される係合凹部２１が設けられている。被係止部２０は、この係合凹部２１の爪部１９ａと対向する位置から突出された突起部２０ａからなる。なお、ロック部材１８については、側壁部１８ｂが係合凹部２１に係合された状態において、側壁部１８ｂの外周面と外筒８の外周面とがほぼ面一となっている。
【００３５】
固定機構１７では、中栓９が外筒８の上部を閉塞した状態で、中栓９の上面又は蓋部１２にロック部材１８を当接させると共に、このロック部材１８の先端側に設けられた爪部１９ａ（係止部１９）を外筒８の側面側に設けられた突起部２０ａ（被係止部２０）に係止することによって、中栓９を外筒８に対して固定することができる。
【００３６】
一方、固定機構１７では、爪部１９ａ（係止部１９）と突起部２０ａ（被係止部２０）との係止状態を解除することによって、ロック部材１８及び中栓９を回動可能な状態とすることができる。
【００３７】
また、爪部１９ａ（係止部１９）と突起部２０ａ（被係止部２０）とが係合された状態において、ロック部材１８の側壁部１８ｂがリング部材１０の外周面とほぼ面一となっている。さらに、側壁部１８ｂの下端とリング部材１０との間には、指が入らない程度の僅かな隙間しかない。これにより、キャップユニット１が容器本体２に取り付けられた状態において、不意に指などが掛かることによる爪部１９ａ（係止部１９）と突起部２０ａ（被係止部２０）との係止状態の解除を防ぐことができる。
【００３８】
なお、固定機構１７では、上述した爪部１９ａ（係止部１９）を突起部２０ａ（被係止部２０）に係止する構成となっているが、このような構成に必ずしも限定されるものではなく、固定機構１７については適宜変更することが可能である。
【００３９】
以上のような構造を有する本実施形態のキャップユニット１では、外筒８にヒンジ部１６を介して中栓９が回動自在に取り付けられていることから、外筒８と中栓９とをそれぞれ洗浄することができ、これら外筒８と中栓９との間を衛生的に保つことが可能である。
【００４０】
また、本実施形態のキャップユニット１では、外筒８と中栓９とがヒンジ部１６を介して互いに連結されていることから、例えば、乾燥中に外筒８と中栓９とが他の食器の中に混ざってしまい、その中から外筒８と中栓９とを別々に取り出すといった必要がないため、非常に便利である。
【００４１】
また、本実施形態のキャップユニット１では、上述した固定機構１７によって外筒８に対する中栓９の取付構造を簡素化することが可能である。特に、本実施形態の固定機構１７では、中栓９と共にヒンジ部１６を介して回動自在に取り付けられたロック部材１８によって、中栓９を外筒８に対して容易に固定することが可能である。
【００４２】
また、本実施形態のキャップユニット１では、上述した収容空間Ｋや収容凹部１８ｃを利用して、例えば、折り畳み式のストローやスプーン、箸などを収容したり、砂糖やミルクカプセルなどを収容したりすることも可能である。
【００４３】
したがって、本実施形態のキャップ付き容器１００では、上述したキャップユニット１を備えることによって、使い勝手の更なる向上を図ることが可能である。
【００４４】
なお、本発明は、上記実施形態のものに必ずしも限定されるものではなく、本発明の趣旨を逸脱しない範囲において種々の変更を加えることが可能である。
すなわち、上記実施形態では、上述した真空断熱構造を有する容器本体２によって保温・保冷機能を持たせたキャップ付き容器１００に本発明を適用した場合を例示しているが、このような真空断熱構造を有する容器本体２を備えたものに必ずしも限定されるものではない。すなわち、本発明は、キャップユニットが容器本体の口頸部に着脱自在に取り付けられるキャップ付き容器に対して幅広く適用することが可能である。
【符号の説明】
【００４５】
１…キャップユニット  ２…容器本体  ３…外容器  ４…内容器  ５…真空断熱層  ６…雌ネジ部  ７…張出部  ８…外筒  ９…中栓  １０…リング部材  １１…栓部  １２…蓋部  １３…指掛け部  １４…雄ネジ部  １５…止水パッキン（シール部材）  １６…ヒンジ部  １７…固定機構  １８…ロック部材  １８ｃ…収容凹部  １９…係止部  ２０…被係止部  ２１…係合凹部  Ｋ…収容空間
【図１】
2019112101.tif 000003
【図２】
2019112101.tif 000004
【図３】
2019112101.tif 000005